(57)【特許請求の範囲】
【請求項１】
第一の本体構成体（２）と第二の本体構成体（３）による着脱可能な二分割構造にして、上下に対向する半円形状の壁面（４）、（５）、（７）、（８）の同軸上中央部に送風穴（９）、（１１）が設けられ、かつ内部が前記送風穴（９）、（１１）と連通する送風穴（１５）を有するそれぞれの仕切壁（１３）を介して複数の冷凍剤収納室（１４）に区画形成された縦長円形筒状の本体（１）と、
該本体（１）が内蔵されたボックス（２３）と、
該ボックス（２３）の上端開口部に着脱可能に取り付けられた着脱自在蓋（３２）と、
前記ボックス（２３）の外周に設けられた断熱材（３０）を介し、かつ前記着脱自在蓋（３２）までに亘って被覆された保冷カバー（５２）と、
前記冷凍剤収納室（１４）にそれぞれ収納セットされた冷凍剤（１９）と、
前記本体（１）における前記一方の送風穴（１１）、（９）を介して前記冷凍剤（１９）に空気を送風するファン（３９）およびファン電源（４３）と、
前記冷凍剤（１９）による結露水を一時的に溜まるようにした有底の結露水溜槽（４６）を有し、
かつ前記ボックス（２３）は、上端面が開口した縦長円形筒状体であって、その開口部外周には肉厚部（２４）が形成され、閉塞底面の中央部には、内側に突出させて前記本体（１）における前記送風穴（９）、（１１）、（１５）と連通する貫通穴（２５）が形成されるとともに、底面の下部には底面と一体の延設部（２７）を介して袴状の立置足部（２８）が形成され、
前記着脱自在蓋（３２）は、上面が開口した有底の胴部（３３）と、該胴部（３３）の底下面に一体に突設された円形の嵌入部（３４）を有し、前記胴部（３３）の底面上には断熱材（３８）が設けられるとともに、胴部（３３）の上端開口部には通気口（４４）を有する開閉蓋（４５）が設けられ、
前記ファン（３９）と前記ファン電源（４３）は、前記着脱自在蓋（３２）内の前記断熱材（３８）上に配置され、かつ前記着脱自在蓋（３２）は、その前記円形の嵌入部（３４）が前記ボックス（２３）の開口部における前記肉厚部（２４）の部分内に、嵌入部外周縁が肉厚部（２４）の上端と密着状態にして、かつ前記ファン先端が前記本体（１）の前記送風穴（１１）、（９）と連通した状態で嵌め込まれて一体的に組み込まれ、
前記保冷カバー（５２）は、前記断熱材（３０）と同形の断面多角形状体であって、前記ボックス（２３）の部分を覆う胴部（５３）と、該胴部（５３）と一体にして、前記着脱自在蓋（３２）の部分を覆い、かつ上面に前記通気口（４４）と適合した通気口（５４）を有する開閉蓋部（５５）から形成され、前記胴部（５３）の下端鍔部（５６）が前記ボックス（２３）の延設部（２７）に固着され、前記開閉蓋部（５５）はチャック（５８）による非チャック部分（５９）までの開閉により開閉可能されるとともに、該保冷カバー（５２）には携帯用ベルト（６０）が設けられ、
前記結露水溜槽（４６）は、前記ボックス（２３）の閉塞底面下に前記貫通穴（２５）を囲んで垂設され、前記結露水溜槽（４６）の上部には、冷風送風管（４７）の先端が連結されるとともに、前記ボックス（２３）における前記立置足部（２８）の穴を介して外部に導出され、また、底面に明けられた結露水の排出口（４８）にはキャップ（４９）を有する排水管（５０）が接続され、さらに  前記結露水溜槽（４６）、前記冷風送風管（４７）、前記排水管（５０）のそれぞれの外周には断熱材（５１）が設けられている構成を特徴とする携帯用の縦置き型冷風発生装置。
【発明の詳細な説明】
【技術分野】
【０００１】
本発明は、猛暑のなか冷房のない部屋や屋外で過ごす場合、更には病院等において氷又は冷凍剤を用いて身体を部分的に冷やす場合等において用いられる携帯用の縦置き型冷風発生装置に関するものである。
【背景技術】
【０００２】
従来、真夏の屋外競技場等において観客は体温の上昇を防ぐため、うちは、携帯の扇風機又は冷凍帯、ひんやりシート等を使用していた。又、病院等で患者の患部を部分的に冷やすために、氷のうを用いていた。
【０００３】
しかし、真夏は温度がもともと高いために、うちはや扇風機等では満足すべき冷風感を得ることができない。又、患者の患部を部分的に氷のうで冷やす場合において、氷のうでは患部のどこの部位でも、又どんな角度でも自在に連続的に冷やすことは困難である。
【０００４】
そこで、本発明者等は、第一の本体構成部と第二の本体構成部による着脱可能な二分割構造にして、対向する壁面の同軸上中央部に送風穴が設けられ、かつ内部が、送風穴と連通する送風穴を有するそれぞれの仕切壁を介して複数の冷凍剤収納室に形成された筒状の本体と、該本体が内蔵されたボックスと、該ボックスの外周に断熱材を介して被覆された保冷カバーと、冷凍剤収納室にそれぞれ収納セットされた冷凍剤と、本体における一方の送風穴を介して冷凍剤に空気を送風するファンおよび該ファンの電源と、本体における他方の送風穴を介して冷凍剤により冷却された冷風を送風する冷風送風管を備えた冷風発生装置を発明して特許出願をした（特願２００５−１５３５３７号）。
【０００５】
この特願２００５−１５３５３７号に係る発明は、ファンにより本体内に送風された空気が本体内にセット収納されている冷凍剤によって冷風化され、これが冷風送風管を介して冷房に供されて、真夏の屋外においても満足すべき冷風感が得られるという効果を奏するも、外気の吹き込みにより冷凍剤の表面に結露が生じ、この結露水が滴下して各冷凍剤収納室内の底部に溜まり、この結露水が相当量溜まってくると、吹き込まれた風の通りが悪くなるばかりか、風の流れが乱れて冷却効率が悪くなり、期待する冷風が得られない。
【０００６】
そこで、本発明者等は、各冷凍材収納室の底部に溜まった結露水を冷凍剤収納室の外部に排出させるため、各冷凍剤収納室と対応した本体における下本体部の底部に、冷凍剤による結露水の排水穴が貫通して設けられ、各排水穴に対応させて、下本体部の底面外部には、排水口を有する各結露水溜槽が垂設固定されるとともに、これら各結露水溜槽には、排水口を開閉する手動可能な開閉弁を介して排水管が連結され、開閉弁の手動操作により、排水穴を通して結露水溜槽に溜まった冷凍剤による結露水を外部に排水するようにした冷風発生装置を考案して、これを実用新案登録出願し（実願２００６−００６３８２号）、実用新案登録（登録第３１２６２６１号）を得た。
【発明の開示】
【発明が解決しようとする課題】
【０００７】
本発明が解決しようとする問題点は、先の特許出願（特願２００５−１５３５３７号）に係る横型の冷風発生装置において、各冷凍剤収納室内に溜まった結露水を外部に排出するには、実用新案登録第３１２６２６１号に係る考案を実施して排出することが可能であるが、これを縦置き型の冷風発生装置とする場合においては、その結露水を外部に排出するには、ボックス内より本体を引き出しでゴムワッカを外し、本体を二つに分割して冷凍剤を取り出し、溜まった結露水を出さなければならないという点である。
【０００８】
したがって、本発明の目的は、携帯用の縦置き型の冷風発生装置において、各冷凍剤収納室内に溜まった結露水を簡易に外部に排水することができる持ち運び便利にして、かつ縦置きができる冷風発生装置を提供することにある。
【０００９】
この目的のため、本発明の請求項1に記載の携帯用の縦置き型冷風発生装置は、第一の本体構成体２と第二の本体構成体３による着脱可能な二分割構造にして、上下に対向する半円形状の壁面４、５、７、８の同軸上中央部に送風穴９、１１が設けられ、かつ内部が前記送風穴９、１１と連通する送風穴１５を有するそれぞれの仕切壁１３を介して複数の冷凍剤収納室１４に区画形成された縦長円形筒状の本体１と、
該本体１が内蔵されたボックス２３と、
該ボックス２３の上端開口部に着脱可能に取り付けられた着脱自在蓋３２と、
前記ボックス２３の外周に設けられた断熱材３０を介し、かつ前記着脱自在蓋３２までに亘って被覆された保冷カバー５２と、
前記冷凍剤収納室１４にそれぞれ収納セットされた冷凍剤１９と、
前記本体１における前記一方の送風穴１１、９を介して前記冷凍剤１９に空気を送風するファン３９およびファン電源４３と、
前記冷凍剤１９による結露水を一時的に溜まるようにした有底の結露水溜槽４６を有し、
かつ前記ボックス２３は、上端面が開口した縦長円形筒状体であって、その開口部外周には肉厚部２４が形成され、閉塞底面の中央部には、内側に突出させて前記本体１における前記送風穴９、１１、１５と連通する貫通穴２５が形成されるとともに、底面の下部には底面と一体の延設部２７を介して袴状の立置足部２８が形成され、
前記着脱自在蓋３２は、上面が開口した有底の胴部３３と、該胴部３３の底下面に一体に突設された円形の嵌入部３４を有し、前記胴部３３の底面上には断熱材３８が設けられるとともに、胴部３３の上端開口部には通気口４４を有する開閉蓋４５が設けられ、
前記ファン（３９）と前記ファン電源（４３）は、前記着脱自在蓋（３２）内の前記断熱材（３８）上に配置され、かつ前記着脱自在蓋（３２）は、その前記円形の嵌入部（３４）が前記ボックス（２３）の開口部における前記肉厚部（２４）の部分内に、嵌入部外周縁が肉厚部（２４）の上端と密着状態にして、かつ前記ファン先端が前記本体（１）の前記送風穴（１１）、（９）と連通した状態で嵌め込まれて一体的に組み込まれ、
前記保冷カバー５２は、前記断熱材３０と同形の断面多角形状体であって、前記ボックス２３の部分を覆う胴部５３と、該胴部５３と一体にして、前記着脱自在蓋３２の部分を覆い、かつ上面に前記通気口４４と適合した通気口５４を有する開閉蓋部５５から形成され、前記胴部５３の下端鍔部５６が前記ボックス２３の延設部２７に固着され、前記開閉蓋部５５はチャック５８による非チャック部分５９までの開閉により開閉可能されるとともに、該保冷カバー５２には携帯用ベルト６０が設けられ、
前記結露水溜槽４６は、前記ボックス２３の閉塞底面下に前記貫通穴２５を囲んで垂設され、前記結露水溜槽４６の上部には、冷風送風管４７の先端が連結されるとともに、前記ボックス２３における前記立置足部２８の穴を介して外部に導出され、また、底面に明けられた結露水の排出口４８にはキャップ４９を有する排水管５０が接続され、さらに  前記結露水溜槽４６、前記冷風送風管４７、前記排水管５０のそれぞれの外周には断熱材５１が設けられている構成を特徴とするものである。
【００１０】
【００１１】
【００１２】
【００１３】
【発明の効果】
【００１４】
請求項1に記載の発明によれば、携帯用の縦置き型冷風発生装置において、各冷凍剤収納室の内部気圧に何らの変化を与えることなく、全て均等な内部気圧で、冷却効率に影響を及ぼすことなく、冷凍剤による結露水を簡単に外部に排出することができる。
【発明を実施するための最良の形態】
【００１５】
本発明に係る携帯用の縦置き型冷風発生装置は、筒状本体における送風穴を有する仕切壁を介して複数冷凍剤収納室に区画形成された本体の各収納室内に冷凍された冷凍剤がそれぞれセット内蔵され、冷凍剤の一方の面より空気が強制的に送風されて、この空気が冷凍剤により冷却され、この冷却された空気が冷凍剤の他方の面より冷風として導出されるとともに、冷凍剤による結露水は本体外部に容易に排出されるものである。
【００１６】
以下、本発明の具体的な実施例を図面に基づきその作用と共に説明する。
【００１７】
図１は、本発明に係る携帯用の縦置き型冷風発生装置の一例での一部を断面し、かつ省略して示す正面図、図２は、図１における本体の二分割分離状態を示す正面図、図３は、本体部分を断面して示す正面図、図４は、図１におけるボックスと本体を横断面して冷凍剤収納室内を示す拡大平面図、図５は、図１の５−５線に沿った拡大断面図である。
【００１８】
これら図において、本携帯用の縦置き型冷風発生装置は本体１を備えている。
【００１９】
本体１は、好ましくは、硬質樹脂製での成形品であって全体縦長の円形筒状を呈し、図２に示されているように、第一の本体構成体２と第二の本体構成体３での着脱可能な二分割構造となっている。
【００２０】
本体１は、共に半円形の第一および第二の本体構成体２、３の合体により円筒形に一体的に形成されるが、この合体のため、第一の本体構成体２の上下に対向する半円形状壁面４、５の中央部位には送風用切欠部６が形成され、第二の本体構成体３の上下に対向する半円形状壁面７、８の中央部位には壁面７、８と一体にやや上部に延設され、かつその中心に送風穴９を有する送風用切欠部６と一体的に接合する突出接続部１０と、該突出接続部１０と段部を介して一体にして壁面７、８の外側面に形成された送風穴９と連通する外向きハ字状の送風穴１１を有する接続部１２が設けられている。
【００２１】
第一および第二の本体構成体２、３内は、それぞれ複数の仕切壁１３を介して複数の冷凍剤収納室１４に区画形成され、各仕切壁１３の合体側(当接端面)には、送風穴９、１１と連通する送風用切欠部１５が形成されている。
【００２２】
また、第一および第二の本体構成体２、３における各冷凍剤収納室１４の内面壁には、間隔を有して二つの片寄り防止部１６が設けられるとともに、各冷凍剤収納室１４を形成する各仕切壁１３と両側面壁４、５には間隔を有して、送風用切欠部６に向け放射状にそれぞれテーパー面１７を有する三つの片寄り防止部１８が設けられている。
【００２３】
なお、片寄り防止部１６、１８は、各冷凍剤収納室１４内にそれぞれ冷凍剤１９がセット収納された場合に、冷凍剤１９の両面と各仕切り壁１３および壁面４、５(７、８)との間に常に均等な空間部２０が維持されて風の流れが良好となり、送風された空気が効率的に冷却されるようにしたものである。
【００２４】
また、片寄り防止部１８のテーパー面１７は、冷凍剤収納室１４内に冷凍剤１９を収納する場合において、そのガイドとなってスムーズにして、かつ損傷等を与えることなく、安全、容易に収納し得るようにしたものである。
【００２５】
なお、片寄り防止部の数は限定されず適宜である。
【００２６】
そして、第二の本体構成体３の各冷凍剤収納室１４内にそれぞれ冷凍された冷凍剤１９がセット収納され、図２に実線矢印で示されているように、第一の本体構成体２がその送風用切欠部６と第二の本体構成体３の突出接続部１０との嵌合による第一および第二の本体構成体２、３の分割端面の接合をもって一体的に合体され、この合体により送風用切欠部１５、１５によって各仕切壁１３の中心部に送風穴が形成される。
【００２７】
そして、この合体状態は、本体１の外周三個所において巻着されたゴムまたは螺旋状スプリングのワッカ２１によって維持されている。
【００２８】
なお、第一および第二の本体構成体２、３の外周にはずれ防止突起部２２が設けられ、これら二つのずれ防止突起部２２、２２間にそれぞれのワッカ２１が巻着されて、各ワッカ２１がずれないようになっている。
【００２９】
各冷凍剤収納室１４内にセット収納される冷凍剤１９は、ナイロンフィルム等の袋にゼリー状の冷凍剤が密閉された公知のものであって、この冷凍剤は、好ましくは冷凍庫において夜間の電力で凍らせて使用される。
【００３０】
以上のようにして、各冷凍剤収納室１４内にそれぞれ冷凍剤１９がセット収納され、第一および第二の本体構成体２、３が接合合体されて複数のワッカ２１により巻着された本体１は円形筒状体であるボックス２３内に固定的に収納される。
【００３１】
ボックス２３は、好ましくは硬質合成樹脂材による一体成形品として得られるもので、一側面（上端面）が開口した円形筒状体であって、その開口部外周には肉厚部２４が形成され、閉塞底面の中央部には、内側に突出させて本体１における送風穴９、１１、１５と連通する貫通穴２５を有するゴムパッキン装着突出部２６が一体に形成されるとともに、底面の下部には、底面と一体の延設部２７を介して袴状の立置足部２８が形成され、本体１を含むボックス２３が安定的に立置できるようになっている。
【００３２】
ボックス２３のゴムパッキン装着突出部２６には厚板のゴムパッキン２９が固定的に装着されるとともに、外周全体には断面多角形状の断熱材３０がその略Ｌ形上端部３１を肉厚部２４の段部に押し当てた状態で外装着されている。
【００３３】
ボックス２３の上端開口部には、円筒状の着脱自在蓋３２が一体的に設けられている。
【００３４】
着脱自在蓋３２は、上面が開口した有底の胴部３３と、底下面に一体に突設された円形の嵌入部３４を有し、底面の中央部には、外側に突出させて送風穴３５を有するゴムパッキン装着突出部３６が一体に形成され、ゴムパッキン装着突出部３６にゴムパッキン３７が装着されている。
【００３５】
着脱自在蓋３２における胴部３３の底面上に断熱材３８が設けられるとともに、断熱材３８上には、本体１内の冷凍剤１９に空気を送るためのファン３９が設けられている。
【００３６】
ファン３９は、送風管４０を有し、その先端テーパー部が断熱材３８の送風管挿通穴４１を介してゴムパッキン装着突出部３６のテーパー付送風穴３５に嵌めこまれ、そのファン部が取付け部材４２を介して胴部３３に取り付けられている。
【００３７】
胴部断熱材３８上には、バッテリ等のファン電源４３が設けられ、ファン電源４３は電気配線を介してファン部と電気接続され、ファン電源４３のオン(ＯＮ)、（ＯＦＦ）オフにより送風し、送風を停止するようになっている。
【００３８】
胴部３３におけるファン３９、ファン電源４３側の開口部は、その中央部二個所に通気口４４を有する開閉蓋４５によって閉塞されている。
【００３９】
そして、図１に示されているように、ボックス２３内に、冷凍剤１９が収納された本体１がその下部側の接続部１２をゴムパッキン２９に当接させて、送風穴９と貫通穴２５を連通させた状態で収納されるとともに、ボックス２３の上面開口部には、着脱自在蓋３２の嵌入部３４がボックス肉厚部２４の部分内に、ゴムパッキン３７を接続部１２に当接させて、ファン先端と送風穴１１、９を連通させた状態で嵌め込まれて着脱自在蓋３２が一体的に組み込まれ、また図７に示されているように、着脱自在蓋３２をボックス２３より引き抜くことにより取り外すことができるようになっている。
【００４０】
なお、ゴムパッキン２９、３７が設けられているのは、本体１の接続部１２との接触面で送風漏れを防止し、かつ本体１とボックス２３、着脱自在蓋３２との組み込み時において、両者の衝撃を和らげるためである。
【００４１】
冷凍剤１９はファン３９からの送風により冷凍されるが、この場合に結露水が発生し、その結露水は冷凍剤収納室１４内に溜まることになる。そこで、この溜まった結露水を外部に排出するため、ボックス２３における延設部２７の下面中央部に、ボックス底面の貫通穴２５を囲繞して有底の結露水溜槽４６が垂設されている。
【００４２】
結露水溜槽４６の上部には、冷風送風管４７の先端が連結されるとともに、ボックス２３における立置足部２８の穴を介して外部に導出され、また、底面には結露水の排出口４８が明けられるとともに、これにはキャップ４９を有する排水管５０が接続され、冷凍剤収納室１４から貫通穴２５を通って結露水溜槽４６内に溜まった結露水は排水管５０から外部に排出されるようになっている。
【００４３】
結露水溜槽４６、冷風送風管４７、排水管５０の外周は断熱材５１で被覆され、外部からの熱伝導が可能な限り防止されるようになっている。
【００４４】
図１に示されているように、断熱材３０と着脱自在蓋３２を覆って保冷カバー５２が設けられている。この保冷カバー５２は、断熱材３０と同形の断面多角形状体であって、ボックス２３の部分を覆う胴部５３と、胴部５３と一体にして、着脱自在蓋３２の部分を覆い、かつ上面に通気口４４と適合した通気口５４を有する開閉蓋部５５から形成され、胴部５３の下端鍔部５６がボックス２３の延設部２７にボルト５７により固着され、開閉蓋部５５は、図５および図７に示されているように、チャック５８による非チャック部分５９までの開閉により開閉できるようになっている。
【００４５】
保冷カバー５２の外側面には携帯用ベルト６０が取り付けられてこのベルト６０によって手提げや肩掛けによる携帯が可能となっている。
【００４６】
本携帯用の縦置き型冷風発生装置は、上記のように、断熱材３０、５１、保冷カバー５２が設けられているが、これは本体１およびボックス２３の材質としては熱伝導性の低い材質で形成しているものの、冷凍した冷凍剤１９を本体１の各冷凍剤収納室１４内にセットしながら、本携帯用の縦置き型冷風発生装置の作動を停止して使用しない状態が続く場合に、冷凍している冷凍剤１９をより効果的に保冷するためである。
【００４７】
次に、動作について説明する。
【００４８】
ファン３９の駆動により空気は送風管４０から送風穴９、１２、１５を通って本体１の冷凍剤収納室１４内の空間部２０に流れて、冷凍剤１９により冷風化され、この冷風化された冷気は仕切壁１３の送風用切欠部１５、１５で形成の送風穴を通って順次に各冷凍剤収納室１４内の各空間部２０を流れて、セット収納の冷凍剤１９によって更に冷風化され、最終的に冷風化された冷気は、送風穴１１、９、貫通穴２５から結露水溜槽５１内に流れ、冷風送風管４７を通って外部に導出され、使用者の冷房に供される。
【００４９】
このようにして冷風は得られるが、ファン３９の駆動による外気の吹き込みにより冷凍剤１９の表面に結露が生じ、この結露水が滴下して各冷凍剤収納室１４内の底部に溜まるが、これら結露水は、各冷凍剤収納室１４内の送風穴から下方へと自然に流れ落ち、最終下段の冷凍剤収納室１４内の送風穴１１、９から貫通穴２５を流れ落ちて結露水溜槽４６に溜まる。
【００５０】
なお、結露水溜槽４６内においては、冷風も通流するが、結露水は凍っておらず冷水であるから冷風化への影響はなく、むしろ弱体化へと進む冷凍剤を用いるうえからも、冷風化への区間が若干でも延びることになり、冷風化効果が高くなる。
【００５１】
結露水溜槽４６に溜まった結露水は、使用中でも排水管５０を介して外部に排水可能であるが、排水が終わりに近づくと、排水管５０から冷風が抜けることになるので、冷凍剤１９の交換時に結露水の排水を行うが理想的である。
【００５２】
そして、この冷凍剤１９の交換は、図７に示されているように、保冷カバー５２がチャック５８による非チャック部分５９（図５参照）までの開放によって開閉蓋部５４が開蓋されて、着脱自在蓋３２がボックス２３から引き出されて分離され、本体１がボックス２３から出され、ゴムワッカ２１が外されて本体１が二つに分割分離され、各冷凍剤１９の交換がなされる。
【００５３】
なお、本実施例においては、ファン３９、電源４３等はボックス２３の上部に設けられ、冷風送風管４７はボックス２３の下部にある結露水溜槽４６に設けられているが、これに限定されず、結露水溜槽４６のコンパクト化は可能であり、かつファン、電源等のコンパクト化も可能であるから、ファンや電源等を、結露水溜槽と共にボックス２３の下部に配置し、冷風送風管４７をボックス２３の上部に設けることができ、これによって若干重心が低くなるため、袴状の立置足部２８による縦置きがより安定的にできる。
【００５４】
また、冷凍した冷凍剤１９を本体１の各冷凍剤収納室１４内に収納セットしながら、本携帯用の縦置き型冷風発生装置の作動を停止して使用しない状態が続く場合には、本体１内は冷気化が進んで、冷気は降下するが、この現象は横型にあっては考慮する程ではないが、縦型になると全長が長くなればなる程考慮する必要がある。
【００５５】
そこで、本体１内の冷気が降下すると、その降下分だけファン３９側から外気が流れ込むことになり、弱い流動ではあるが、冷風送風管４７から冷風が放出されるとになって無駄となってしまうので、本体１内での流動を防いで、保冷度を高めるため、特に図示しないが、送風管４０の先端テーパー部を装着するテーパー付送風穴３５に、着脱可能な先端をテーパー状とした棒状の盲栓を設け、また、冷風送風管４７の立置足部２８の近くに、容易に着脱可能なキャップを設けて、本体１の完全密閉化を図る。
【００５６】
なお、上記した本体１の完全密閉化は、二個所において通気遮断をすれば、より効果的であるが、いずれかの一個所での通気遮断であっても十分な効果が得られる。
【図面の簡単な説明】
【００５７】
【図１】本発明に係る携帯用の縦置き型冷風発生装置の一例での一部を断面し、かつ省略して示す正面図である。
【図２】図１における本体の二分割分離状態を示す正面図である。
【図３】本体部分を断面して示す正面図である。
【図４】図１におけるボックスと本体を横断面して冷凍剤収納室内を示す拡大平面図である。
【図５】図１の５−５線に沿った拡大断面図である。
【図６】開閉蓋の拡大平面図である。
【図７】図１の状態から保冷カバーを一部開放し、着脱自在蓋を分離させた状態を示す断面図である。
【図８】全体の概略斜視図である。
【符号の説明】
【００５８】
１    本体
２    第一の本体構成体
３    第二の本体構成体
４、５、７、８    壁面
９、１１    送風穴
１３    仕切壁
１４    冷凍剤収納室
１５    送風穴
１９    冷凍剤
２３    ボックス
２４ 肉厚部
２５    貫通穴
２７ 延設部
２８ 袴状の立置足部
３０    断熱材 
３２    着脱自在蓋
３３ 有底の胴部
３４ 嵌入部
３８ 断熱材
３９    ファン
４３    ファン電源
４４    通気口
４５    開閉蓋
４６    結露水溜槽
４７    冷風送風管
４８    排出口
５１ 断熱材
５２    保冷カバー
５３ 胴部
５４ 通気口
５５ 開閉蓋部
５６ 下端鍔部
５８ チャック
５９ 非チャック部分
６０    携帯用ベルト
【図１】
0004323534.tif 000002
【図２】
0004323534.tif 000003
【図３】
0004323534.tif 000004
【図４】
0004323534.tif 000005
【図５】
0004323534.tif 000006
【図６】
0004323534.tif 000007
【図７】
0004323534.tif 000008
【図８】
0004323534.tif 000009